(57)【要約】【課題】アスピレータ（ベルヌーイの効果）を利用してその流速を速めると共に、アスピレータ部材の減圧導入路（減圧室）を介して主流路に容器内の液状溶剤を十分に混合して噴射すること。【解決手段】シャワーホースと、このシャワーホースの自由端部に設けられかつ流体を噴射するシャワーヘッドと、このシャワーヘッド及びシャワーホースで形成される主流路に介在すると共に、その介在流路の一部に絞り部分を有し、かつ該介在流路中の混合室と導通する減圧導入路を有するアスピレータ部材と、先端部がアスピレータ部材の管連結部に接続される流体供給管と、この流体供給管の後端部に連結された液状溶剤収納容器とから成り、アスピレータ部材１１の混合室１４と交差状態に連通する減圧導入路１６は、管連結部１７側の供給路１７ａと弁収納部１８に組み込まれた逆止弁部材２５を介して連通可能である動物用シャワー装置。【選択図】図４
2013034790.tif 000002
【特許請求の範囲】
【請求項１】
シャワーホースと、このシャワーホースの自由端部に設けられかつ流体を噴射するシャワーヘッドと、このシャワーヘッド及び前記シャワーホースで形成される主流路に介在すると共に、その介在流路の一部に絞り部分を有し、かつ該介在流路中の混合室と導通する減圧導入路を有する筒状アスピレータ部材と、先端部が前記筒状アスピレータ部材の後端部或は突起部に形成された管連結部に接続される流体供給管と、この流体供給管の後端部に連結された液状溶剤収納容器とから成り、前記筒状アスピレータ部材１１の前記混合室１４と交差状態に連通する前記減圧導入路１６は、前記管連結部１７側の供給路１７ａと弁収納部１８に組み込まれた逆止弁部材２５を介して連通可能である動物用シャワー装置。
【請求項２】
請求項１に於いて、筒状アスピレータ部材は、絞り部分の前方に相当する下流側の内周壁に、さらに第２減圧手段としてのオリフィスを有することを特徴とする動物用シャワー装置。
【請求項３】
請求項１又は請求項２に於いて、筒状アスピレータ部材の減圧導入路側には、該減圧導入路と供給路が導通する複数個の管連結部が設けられていることを特徴とする動物用シャワー装置。
【請求項４】
請求項１に於いて、逆止弁部材は、減圧導入路内に形成された弁座に着座する球体状磁性弁であることを特徴とする動物用シャワー装置。
【請求項５】
請求項１に於いて、管連結部の位置をシャワーホースの中に位置付け、かつシャワーホースの中間部に形成したシール連結部を介して流体供給管の先端部側をシャワーホースに内装したことを特徴とする動物用シャワー装置。
【発明の詳細な説明】
【技術分野】
【０００１】
本発明は、人間に使用することができる人体用シャワーヘッドに関する。
【背景技術】
【０００２】
特許文献１の発明の課題は、シャワーヘッドからシャワー水とアロマオイルとアロマの香りを同時に放出することで、その手段は、「シャワーヘッド（１）とシャワーホース（２）を接続する間に、流体の流れによる圧力差によって気体及び液体を装置本体の自吸口から自吸する機能を持った装置（３）を設け、装置自吸口（４）にはカートリッジ（５）を接続する接続部（４ａ）を設ける。カートリッジ（５）内部に差し込んだフィルター（７）にアロマオイル数滴を染み込ませカートリッジ（５）を接続部（４ａ）に接続し、装置（３）の自吸力によってアロマオイル及びアロマの香りがシャワー水と同時に放出させること（符号は特許文献１のもの）」である。
【０００３】
また、特許文献２の発明の課題は、一般家庭でも簡単にマイクロバブル含有水を製造することで、その具体的手段の要部として液体と気体を混合する「アスピレータ」を採用している。これらの特許文献は、共にベルヌーイの効果を利用することにより、流体による吸引効果を高め、人体の洗浄効果を得ることができるという利点を有するものの、シャンプー、バスソルト等の入浴剤を収納する液状溶剤収納容器からの液状溶剤を、シャワーヘッド及び前記シャワーホースで形成される主流路に供給するものではない。したがって、これらの特許文献には、前記液状溶剤収納容器を前記主流路に供給する場合に於いて、「アスピレータ」の内部に逆止弁部材を設けること、逆止弁部材の具体的構成等の事項が記載されていない。
【先行技術文献】
【特許文献】
【０００４】
【特許文献１】特開２０１１−９８１７１号公報
【特許文献２】特許第４１９４５２２号公報
【発明の概要】
【発明が解決しようとする課題】
【０００５】
本発明の所期の目的は、人間の洗浄効果、美容効果・衛生効果等を得るために、シャンプー、バスソルト等の容器内の液状溶剤を、シャワーヘッドを通過する流体（特に、水道水）に、アスピレータ（ベルヌーイの効果）を利用してその流速を速めると共に、アスピレータ部材の減圧導入路（減圧室）を介してシャワーヘッド及び前記シャワーホースで形成される主流路に前記容器内の液状溶剤を十分に混合して噴射することである。望ましくは、愛玩動物の美容を行うペットショプ、普通一般の病院、老人用介護施設、美容院等で、水道水の水圧を利用して、愛玩動物、入院患者、老人、顧客等の動物に対して、洗浄液やシャワーを浴びさせる際に、可能な限り、衛生面での洗浄や清潔的効果、人に対してはリラックス面での入浴効果或いは美容効果を容易に得ることである。また、主流路を流れる流体がアスピレータ部材の外へと逆流しないことである。第２の目的は、アスピレータ部材に圧力差による自己吸引力を十分に高め、逆止弁部材が確実に作用することである。第３の目的は、容器内の液状溶剤と共に、特許文献１と同様に所望の香りやオイル、或は炭酸ガスや空気を供給することができることである。第４の目的は、簡単な弁構造を採用することである。第５の目的は、シャワーヘッドの操作に支障がないことである。その他、台所・美容室・浴室のいずれかの蛇口に連結することにより、一般家庭の室内で手軽に利用することができることである。
【課題を解決するための手段】
【０００６】
本発明の動物用シャワー装置は、シャワーホースと、このシャワーホースの自由端部に設けられかつ流体を噴射するシャワーヘッドと、このシャワーヘッド及び前記シャワーホースで形成される主流路に介在すると共に、その介在流路の一部に絞り部分を有し、かつ該介在流路中の混合室と導通する減圧導入路を有する筒状アスピレータ部材と、先端部が前記筒状アスピレータ部材の後端部或は突起部に形成された管連結部に接続される流体供給管と、この流体供給管の後端部に連結された液状溶剤収納容器とから成り、前記筒状アスピレータ部材１１の前記混合室１４と交差状態に連通する前記減圧導入路１６は、前記管連結部１７側の供給路１７ａと弁収納部１８に組み込まれた逆止弁部材２５を介して連通可能であることを特徴とする。
【０００７】
上記構成に於いて、筒状アスピレータ部材は、絞り部分の前方に相当する内周壁に、さらに第２減圧手段としてのオリフィスを有することを特徴とする。また、筒状アスピレータ部材の減圧導入路側には、該減圧導入路とそれぞれの供給路が導通する複数個の管連結部が突設されていることを特徴とする。さらに、逆止弁部材は、減圧導入路内に形成された弁座に着座する球体状磁性弁であることを特徴とする。加えて、管連結部の位置をシャワーホースの中に位置付け、かつシャワーホースの中間部に形成したシール連結部を介して流体供給管の先端部側をシャワーホースに内装したことを特徴とする。
【０００８】
ここで、「液状溶剤」とは、普通一般のシャンプー、ボティーシャンプー、リンス、バスソルト等の化粧品、普通名称で称されている流動物や半流動物のみならず、これに類する香料溶剤、ピタミン溶剤も含まれる。またここで、「動物」には、人間も含まれる。
【発明の効果】
【０００９】
（ａ）請求項１に記載の発明は、室内・室外を問わず、例えば人間、特に介護をするのに大変な重労働がかかる人に対して、衛生効果、リラックス効果、香りの効果等を得るために、シャンプー、バスソルト、香水等の液状溶剤を、シャワーヘッドを通過する流体（特に、水道水）の圧力差を利用して、該流体に前記液状溶剤を自動的に混合してヘッド部から噴射することができる。また、アスピレータ部材に逆止弁部材が内装されているので、流体が液状溶剤収納容器用の流体供給管側へ逆流しない。
（ｂ）請求項２に記載の発明は、アスピレータ部材に圧力差による自己吸引力を十分に高めることができる。したがって、逆止弁部材が確実に開く。
（ｃ）請求項３に記載の発明は、容器内の液状溶剤と共に、特許文献１と同様に所望の香り、オイル、炭酸ガス、空気等を供給することができる。
（ｄ）請求項４に記載の発明は、弁座が金属製の場合或は弁座に磁性体を設けた場合、該磁性体弁座の極性に対応して球体状磁性弁を着座させることができる。したがって、簡単な弁構造を採用することにより、アスピレータ部材の部品点数を減らすことができる。
（ｅ）請求項５に記載の発明は、流体供給管の先端部側が邪魔にならないので、シャワーヘッドの操作が容易である。
（ｆ）その他、台所・美容室・浴室のいずれかの蛇口に連結することにより、一般家庭の室内で手軽に利用することができる。
【図面の簡単な説明】
【００１０】
図１乃至図７は本発明の第１実施形態を示す各説明図。図８及び図９は本発明の第２実施形態を示す各説明図。図１０は第３実施形態の主要部（アスピレータ部材）の概略縦断面説明図。図１１及び図１２は本発明の第４実施形態を示す各説明図。図１３乃至図１７は本発明の第５実施形態を示す各説明図。
【図１】第１実施形態の浴室で使用（シャワー室の場合も含む）する実施形態の概略説明図。
【図２】概略説明図。
【図３】主要部の説明図。
【図４】主要部（アスピレータ部材）の概略縦断面説明図。
【図５】図４の５−５線断面図。
【図６】アスピレータ部材の管連結部の概略断面図。
【図７】作用の概略説明図。
【図８】第２実施形態の主要部の概略縦断面説明図。
【図９】作用の概略説明図。
【図１０】第３実施形態の主要部（アスピレータ部材）の概略縦断面説明図。
【図１１】第４実施形態の主要部（アスピレータ部材とカートリッジ部材）の概略縦断面説明図。
【図１２】カートリッジ部材の概略説明図。
【図１３】第５実施形態の図１と同様の概略説明図。
【図１４】図２と同様の概略説明図。
【図１５】主要部の説明図。
【図１６】概略断面説明図。
【図１７】作用の概略説明図。
【発明を実施するための最良の形態】
【００１１】
（１）全体の環境説明
以下、図１乃至図７に示す本発明を実施するための最良の形態（第１実施形態）により説明する。また、図８乃至図１７は他の実施形態である。この欄では、第１実施形態のみを説明する。図１に於いて、１は浴室、２は浴槽、３は蛇口である。一方、Ｘは動物、特に人間用シャワー装置である。この人間用シャワー装置Ｘは、基端部が前記蛇口３に取り付けられるシャワーホース４と、このシャワーホース４の自由端部に設けられ、かつ流体（混合液）を噴射するヘッド部６及びパイプ状の握り部７を有するシャワーヘッド５と、このシャワーヘッド５及び前記シャワーホース４で形成される主流路（流体ライン）Ｌに介在すると共に、その介在流路Ｌ１の一部に絞り部分１３を有し、かつ該介在流路Ｌ１中の混合室（減圧室）１４と導通する減圧導入路１６を有するアスピレータ部材１１と、先端部が前記アスピレータ部材１１の管連結部１７に接続される流体供給管２１と、この流体供給管の後端部に連結された液状溶剤収納容器Ｙとから成り、前記アスピレータ部材１１の前記混合室１４と交差状態に連通する前記減圧導入路１６は、前記管連結部１７側の供給路１７ａと弁収納部１８に組み込まれた逆止弁部材２５を介して連通可能である
（２）主要部…アスピレータ部材１１
筒状のアスピレータ部材１１は、シャワーホース４の両端部を除く中途部、又はシャワーヘッド５の握り部７とシャワーホース４の接続自由端部のいずれかに介在するように設けても良いが、この実施形態のアスピレータ部材１１は、図１乃至図３で示すように、シャワーホース４の中途部に介在している。
【００１２】
ここで、主要部を示す図３及び図４を参照にして各部材の部位を説明する。図面左側はシャワーホース４を構成する基端部側ホース４ａ、一方、図面右側はシャワーホース４を構成するシャワーヘッド側ホース４ｂである。両ホース４ａ、４ｂの間にアスピレータ部材１１が両端接続部１１ａ、１１ｂを介してホースの長手方向に一体的に連設されている。
【００１３】
アスピレータ部材１１は片手で握ることができる短筒状体に形成されている。両端接続部１１ａ、１１ｂは、本体部に相当する周胴部分１２に同一方向に形成されており、該周胴部分１２の中央部寄りの内部に断面すり鉢形状の絞り部分１３が形成されている。
【００１４】
前記絞り部分１３は主流路（流体ライン）Ｌの流体の流れをアスピレータ部材１１の介在流路Ｌ１内で加速するために設けられたもので、周知のように、アスピレータの原理は、流体の上流側（図４では左側）から下流側（図４では右側）に流体が流れると、流路の絞り部分（細くなった部分）１３は上流側の内周壁１１ｃよりも圧力が低くなるため、減圧を作り出し、その結果、前記絞り部分１３を通過して他の溶液（液体）や空気（気体）が混合する混合室１４は、いわゆる減圧室となり、下流側の流速が増す（ベルヌーイの効果）。
【００１５】
本実施形態では、さらに、周胴部分１２の一部に半径外方向に突出する断面山形状突起部15を形成し（図５参照）、該突起部15の内部に前記混合室（減圧室）１４と交差状態に連通する減圧導入路１６を形成している。そして、この減圧導入路１６は管連結部１７側の供給路１７ａと逆止弁部材２５を介して連通可能である。
【００１６】
ところで、前記逆止弁部材２５は、混合室１４側の減圧導入路１６並びに管連結部１７側の供給路１７ａの両方にそれぞれ連通可能な長穴状の弁収納部１８に組み込まれ、該長穴状弁収納部１８は管連結部１７側の供給路１７ａと同一方向に延在している。そして、前記逆止弁部材２５は、前記長穴状弁収納部１８に組み込まれたバネ２５ａと、該バネの付勢された球体弁２５ｂとから成る。なお、球体弁２５ｂは支持棒２５ｃを有するが、該支持棒２５ｃは発明の本質的事項ではない。
【００１７】
本実施形態のアスピレータ部材１１は、一方の接続部１１ａ側の吸入口２０と、他方の接続部１１ｂ側の排出口２３の間であって、かつ大径の混合室１４の前記排出口２３との間に、さらにオリフィス２２を有している。付言すると、アスピレータ部材１１は、絞り部分１３の前方に相当する下流側の内周壁内に、さらに第２減圧手段としてのオリフィス２２を有する。なお、この第１実施形態の単数の管連結部１７は、アスピレータ部材１１の外周の突起部１５に設けられ、かつ該アスピレータ部材１１の介在流路Ｌ１を流れる流体の方向と鋭角になる方向を指向している。
【００１８】
（３）要部
次に、液状溶剤収納容器Ｙについて説明する。液状溶剤収納容器Ｙは、例えば浴槽１内の壁面に固定された係止具８に掛けられる。もちろん、液状溶剤収納容器Ｙを、浴槽１内に点滴の如く配設しても良い。本実施形態では、液状溶剤収納容器Ｙの下端部には、ネジ式の調整弁２４が設けられ、該液状溶剤収納容器Ｙには、例えばボティーシャンプーが充填されている。液状溶剤収納容器Ｙの材質如何は問わないが、例えば材質自体の弾性変位の収縮に対応可能な袋状の可撓性容器が用いられている。
【００１９】
（４）作用
使用の際、例えば液状溶剤収納容器Ｙの調整弁２４を緩めると、液状溶剤収納容器Ｙ内の液状溶剤ｂが流体供給管２１を介してアスピレータ部材１１の管連結部１７側の供給路１７ａに流れ込むことが可能に成る。一方、蛇口３を緩めると、蛇口３から基端部側ホース４ａを介してアスピレータ部材１１の吸入口２０に水道水（温水）ａが流れ込む。この水道水ａは、それなりの圧力を有して絞り部分１３を通過して混合室１４に流れ込むが、前述したように、絞り部分１３を通過した下流側の流速は、ベルヌーイの効果により速くなるので、下流側が減圧状態となる。本実施形態では、混合室１４に流れ込んだ水道水ａは、さらに第２減圧手段としてのオリフィス２２も通過するので、下流側の流速はさらに勢いを増す。
【００２０】
しかして、下流側の流速が速くなると、アスピレータ部材１１は自己吸引力を発揮し、混合室１４と連通する減圧導入路１６を介して弁収納部１８も同時に減圧状態と成る。そうすると、管連結部１７側の供給路１７ａに流れ込んだ液状溶剤ｂは、逆止弁部材２５の球体弁２５ｂをバネ２５ａのバネ力に抗して押圧し、逆止弁部材２５が開く。逆止弁部材２５が開くと、前記液状溶剤ｂは、減圧導入路１６を介して混合室１４に流れ込み、絞り部分１３を通過中の水道水ａに交わる。そして、該混合液ｃはシャワーヘッド側ホース４ｂに流れ込み、シャワーヘッド５のノズル５ａから噴射される。
【実施例】
【００２１】
この欄では、図８乃至図１７に示す第２実施形態等を説明する。なお、これらの実施形態を説明するにあたって、第１実施形態と同一の部分には、同一又は同様の符号を付して重複する説明を割愛する。
【００２２】
まず図８及び図９の第２実施形態が、第1実施形態と主に異なる事項は、（ａ）減圧導入路１６Ａの上流側に管連結部１７側の供給路１７ａと連通する断面段差状の弁収納部１８Ａを形成した点、（ｂ）前記断面段差状の弁収納部１８Ａの大径内周面にメネジを形成し、該メネジに継手３０を螺着した点、（ｃ）前記継手３０の内端面に弁座３１を設けた点、（ｄ）前記弁座３１に着座する球体状磁性弁２５Ａを前記弁収納部１８Ａに組み込んだ点、（ｅ）付言すると、逆止弁部材２５Ａは、弁座３１の極性に対応して着座する磁性弁である点である。
【００２３】
このように、弁座３１が金属製の場合、或は弁座３１に磁性体を設けた場合、該磁性体弁座３１の極性に対応して球体状磁性弁２５Ａを着座させることができる。したがって、簡単な弁構造を採用することにより、アスピレータ部材１１Ａの部品点数を減らすことができる。
【００２４】
次に図１０は、アスピレータ部材１１Ｂの第３実施形態の説明図である。この第３実施形態のアスピレータ部材１１Ｂの突起部１５の後端部（図面では左側）に、複数個（例えば２個）の管連結部１７、１７を突設し、その供給路１７ａを二股状に形成し、一方の管連結部１７には第１実施形態の液状溶剤収納容器Ｙを第１の流体供給管２１を介して連結し、他方の管連結部１７には、第２の流体供給管２１Ａを介して第２の容器Ｙ１（例えば炭酸ガスボンベ、酸素ボンベ等）を連結した点である。このように構成すると、アスピレータ部材１１Ｂの介在流路Ｌ１の混合室（減圧室）１４と導通する減圧導入路１６に液状溶剤ｂと共に炭酸ガス、空気等の気体を送り込むことができる。
【００２５】
次に図１１及び図１２は、本発明の第４実施形態を示す各説明図である。この第４実施形態の主要部（アスピレータ部材）は、基本的には、複数個（例えば２個）の管連結部１７、１７を有する第３実施形態のアスピレータ部材１１Ｂと同一である。したがって、この第４実施形態には、前記第３実施形態のアスピレータ部材１１Ｂと同一の符号を付して重複する説明を割愛する。この第４実施形態のアスピレータ部材１１Ｂは、他方の管連結部１７に容器形態のカートリッジ部材Ｙ２を脱着自在に設けた点が、前記第３実施形態と異なる。
【００２６】
しかして、カートリッジ部材Ｙ２は、容器本体３５と、この容器本体に充填されると共に、アロマオイル、精油等の香料を含漬するスポンジ体３６或はピタミン含有の固形物と、前記容器本体３５の口部に形成されたメネジ部に螺合する（口部にメネジがある場合）或は嵌着する環状連結体３７とから成る。
このように構成すると、アスピレータ部材１１Ｂの介在流路Ｌ１の混合室（減圧室）１４と導通する減圧導入路１６に液状溶剤ｂと共に香料（例えばアロマの香り）を送り込むことができる。
【００２７】
最後に図１３乃至図１７は、本発明の第５実施形態を示す各説明図である。この第５実施形態が第１実施形態と主に異なる事項は、（ａ）アスピレータ部材１１Ｃが、シャワーヘッド５のパイプ状の握り部７とシャワーホース４の自由端部との間に介在している点、（ｂ）スピレータ部材１１Ｃの筒状周胴部１２Ａに設けられた管連結部１７Ａは、前記シャワーホース４の自由端部４ｂ内に入り込んでいる接続部１１ａの適宜部位、例えば吸入口２０に対する偏芯部位に形成されている点、付言すると、第１実施形態の如く、アスピレータ部材１１Ｃは筒状周胴部１２Ａの外面に半径外方向に突出する管連結部用の突起部が存在しない点、（ｃ）シャワーホース４の中途部、例えばシャワーホース４の中間部にシール連結部４０（図１３参照）を介して、その中途部が連結され、かつ、該シール連結部４０を基準としてシャワーホース４の先端部側に内装された流体供給管２１Ａの先端部側２１ａの先端部がシャワーホース４内の管連結部１７Ａの後端部に連結されている点である。
【００２８】
このように構成すると、第１実施形態と同様の利点を得ることができると共に、管連結部１７Ａの位置をシャワーホース４の中に位置付け、かつシャワーホース４の中間部に形成したシール連結部４０を介して流体供給管２１Ａの先端部側２１ａをシャワーホース４に内装するので、シャワーヘッド５の操作が容易になるという利点がある。
【産業上の利用可能性】
【００２９】
本発明は、主に病院、老人用介護施設、美容院等で、水道水の水圧を利用して、入院患者、老人、顧客等に対して、シャワーを浴びさせる際に利用される。
【符号の説明】
【００３０】
Ｘ…人間用シャワー装置、Ｌ…主流路（流体ライン）、Ｌ１…介在流路、Ｙ…液状溶剤収納容器、１…浴室、２…浴槽、３…蛇口、４…シャワーホース、４ａ…基端部側ホース、４ｂ…シャワーヘッド側ホース、５…シャワーヘッド、６…ヘッド部、７…握り部、１１…アスピレータ部材、１１ａ、１１ｂ…両端接続部、１１ｃ…内周壁、１２…周胴部分、１３…絞り部分、１４…混合室（減圧室）、１５…突起部、１６…減圧導入路、１７…管連結部、１７ａ…管連結部側の供給路、１８…弁収納部、２０…吸入口、２１…流体供給管、２２…オリフィス、２３…排出口、２４…調整弁、２５…逆止弁部材、５ａ…バネ２、２５ｂ…球体弁、ａ…水道水、ｂ…液状溶剤、ｃ…混合液。
【図１】
2013034790.tif 000003
【図２】
2013034790.tif 000004
【図３】
2013034790.tif 000005
【図４】
2013034790.tif 000006
【図５】
2013034790.tif 000007
【図６】
2013034790.tif 000008
【図７】
2013034790.tif 000009
【図８】
2013034790.tif 000010
【図９】
2013034790.tif 000011
【図１０】
2013034790.tif 000012
【図１１】
2013034790.tif 000013
【図１２】
2013034790.tif 000014
【図１３】
2013034790.tif 000015
【図１４】
2013034790.tif 000016
【図１５】
2013034790.tif 000017
【図１６】
2013034790.tif 000018
【図１７】
2013034790.tif 000019